(57)【特許請求の範囲】
【請求項１】
遊技盤を有する遊技機本体と、
この遊技機本体に開閉可能に支持される前扉とを備えて、
この前扉を開くことにより前記遊技盤をその盤面側から開放し、前記前扉を閉じることにより前記遊技盤をその盤面側から覆うようにしてなるパチンコ遊技機において、
前記遊技機本体と前記前扉の間に設けられるセキュリティ板を備えており、
このセキュリティ板は、
前記遊技機本体に前記遊技盤側から開閉可能に支持される保持枠と、
透明板を有して前記保持枠内に前後方向に変位可能に保持される変位板部材と、
当該変位板部材を前記保持枠内にて前方へ押し出すようにして変位させ、また、前記変位板部材を前記保持枠内にて後方へ付勢するようにして変位させる変位機構と、
前記変位板部材を前記遊技機本体に解除可能にロックするロック機構とを具備して、
前記セキュリティ板は、前記ロック機構によりロックされた状態にて、前記変位機構により、前記変位板部材を前方へ押し出すようにして変位可能となっていることを特徴とするパチンコ遊技機。
【請求項２】
前記遊技機本体は、前記遊技盤を組み付けてなる枠体を備えており、
前記変位機構は、
操作により一方向或いは他方向へ回動する駆動機構部材と、
前記保持枠の上壁と前記変位板部材の上壁と間に沿うように介装されて前記保持枠の前記上壁にその下側へ間隔をおいて上下動可能に支持される上側案内部材と、
前記保持枠の下壁と前記変位板部材の下壁と間に沿うように介装されて前記保持枠の前記下壁にその上側へ間隔をおいて上下動可能に支持される下側案内部材と、
前記保持枠の上下方向壁の一方に前記保持枠の内側から沿うように上下動可能に支持される上下動機構部材とを具備して、
当該上下動機構部材は、前記駆動機構部材の前記一方向への回動に応じて前記上下両側案内部材を前記変位板部材に向けて移動させて当該変位板部材を前方へ押し出すように変位させ、また、前記駆動機構部材の前記他方向への回動に応じて前記上下両側案内部材を互いに離れる方向に移動させて前記変位板部材を後方へ変位させるようにしたことを特徴とする請求項１に記載のパチンコ遊技機。
【請求項３】
前記ロック機構は、
前記駆動機構部材に同軸的に支持されて当該駆動機構部材の前記一方向への回動或いは前記他方向への回動に応じて前記枠体の一部に設けた係止部材に係止するように回動し或いは当該係止部材から解離するように回動するロックレバーを具備して、
当該ロックレバーの前記係止部材に対する係止により前記セキュリティ板を前記枠体にロックし、このロックを前記ロックレバーの前記係止部材からの解離により解除するようにしたことを特徴とする請求項１または２に記載のパチンコ遊技機。
【請求項４】
前記上下動機構部材は、前記保持枠の前記上下方向壁の一方に前記保持枠の内側から沿うように上下動可能に支持される上下方向ラックであって前記上下方向壁の一方の上下方向中間部位に対向する一側歯部及び前記上下方向壁の一方の上部とは逆方向を臨む他側歯部を設けてなる上下方向ラックと、
この上下方向ラックの前記他側歯部に噛合するように回動可能に支持されるピニオンとを具備し、
前記駆動軸部材は、前記上下方向ラックの前記一側歯部に噛合するように回動可能に支持されるピニオンであってその一方向或いは他方向への回動に伴い前記上下方向ラックを上方或いは下方へ移動させるピニオンを有し、
前記上側案内部材は、前記保持枠の前記上壁にその下側へ間隔をおいて上下動可能に支持される横方向ラックであって前記変位板部材の前記上壁に対向するように上側前方から下側後方に向けて傾斜する傾斜面を形成した案内壁及び前記上下方向ラックの前記ピニオンに噛合する歯部を設けてなる横方向ラックを具備し、
前記下側案内部材は、前記上下方向ラックの下端部から前記横方向ラックに対向するように横方向に延出する横方向ラックであって前記変位板部材の前記下壁に対向するように下側前方から下側後方に向けて傾斜する傾斜面を形成した案内壁を設けてなる横方向ラックを具備し、
前記変位板部材は、その上壁及び下壁からそれぞれ後方へ突設される上下両側突出壁であって前記上下両側案内部材の前記各案内壁の傾斜面にそれぞれ摺接するように形成した各傾斜面を有する上下両側突出壁を設けてなり、
前記保持枠は、前記変位板部材を引きつけるように付勢する付勢手段を有しており、
前記上下動機構部材は、前記駆動機構部材の前記ピニオンの前記一方向への回動に応じて前記上下両側案内部材を前記変位板部材に向けて移動させて前記上下両側案内部材の前記各案内壁の前記傾斜面にて前記変位板部材の前記上下両側突出壁の各傾斜面に摺接しながら前記変位板部材を前記付勢手段に抗して前方へ押し出すように変位させ、また、前記駆動機構部材の前記他方向への回動に応じて前記上下両側案内部材を互いに離れる方向へ移動させて前記付勢手段の付勢のもとに前記保持枠の前記上下両側突出壁の各傾斜面にて前記上下両側案内部材の前記各案内壁の前記傾斜面に摺接しながら前記変位板部材を後方へ変位させるようにしたことを特徴とする請求項１〜３のいずれか１つに記載のパチンコ遊技機。
【請求項５】
前記遊技盤は、その盤面にその少なくとも下側外周部に沿い上に凹な湾曲状となるように設けられる内レールと、球落下防止装置とを備えて、
この球落下防止装置は、
前記内レールの下側部位の下面に沿い前後方向に変位する球受けレールと、
前記セキュリティ板が前記変位板部材にて前方へ移動するのにあわせて、前記球受けレールを前記内レールの下側部位の下面に沿い前方へ移動させるように駆動する駆動機構とを具備することを特徴とする請求項１〜４のいずれか１つに記載のパチンコ遊技機。
【請求項６】
前記遊技盤は、前記盤面の外周部から前方へ突出してなる装飾部品を備えており、
前記セキュリティ板は、その前記装飾部品に対する対応部位にて、空所を当該装飾部品の挿通可能に形成してなることを特徴とする請求項１〜５のいずれか１つに記載のパチンコ遊技機。
【発明の詳細な説明】
【技術分野】
【０００１】
本発明は、パチンコ遊技機に係り、特に、遊技盤を有する遊技機本体と、この遊技機本体にその遊技盤を介し開閉可能に支持される前扉とからなるパチンコ遊技機に関する。
【背景技術】
【０００２】
従来、この種のパチンコ遊技機においては、下記特許文献１に記載のパチンコ遊技機が提案されている。このパチンコ遊技機の遊技盤の盤面には、始動入賞口装置や大入賞口装置等の遊技球の払い出しに関与する種々の役物が設けられている。
【０００３】
ここで、前扉は、閉じたとき遊技盤を覆うことで、一応、上述の種々の役物を保護する役割を果たしている。
【先行技術文献】
【特許文献】
【０００４】
【特許文献１】特開２００９−２９１５２０号公報
【発明の概要】
【発明が解決しようとする課題】
【０００５】
ところで、上記パチンコ遊技機において、隙間が、前扉と遊技機本体との間に僅かでも存在すると、この隙間を介して前扉と遊技機本体との間にピアノ線などを挿入して役物を不正に動作させることで、多数の遊技球を獲得するという不正行為（所謂ゴト行為）が行われるおそれがある。
【０００６】
このような不正行為を防止する方策としては、セキュリティ板を遊技機本体と前扉の間にて上記隙間をなくするように遊技機本体にその盤面側から装着することが考えられる。
【０００７】
しかしながら、このようにセキュリティ板を装着すると、遊技盤とセキュリティ板との間隙が狭くなりすぎて、遊技球が、遊技盤とセキュリティ板との間に移動不能に挟まれるといういわゆる球噛みが発生するおそれがある。
【０００８】
これに対しては、セキュリティ板を遊技機本体にその盤面側から開閉可能に設けることで、球噛みが発生したとき、セキュリティ板を開くようにしてもよいが、単にセキュリティ板を開閉可能に設けるのみでは、セキュリティ板を開くことにより、球噛みを解消し得るとしても、パチンコ遊技機としてのセキュリティの低下を招くという不具合が生ずる。
【０００９】
そこで、本発明は、以上のようなことに対処するため、セキュリティ板を遊技機本体にその遊技盤側から開閉可能に設け、かつ、当該セキュリティ板を閉じたときにこのセキュリティ板を遊技機本体に解除可能にロックする構成及びこのロック状態にて球噛みを解消可能にする構成のもとに、球噛みを解消しつつ不正行為を防止し得るようにしたパチンコ遊技機を提供することを目的とする。
【課題を解決するための手段】
【００１０】
上記課題の解決にあたり、本発明に係るパチンコ遊技機は、請求項１の記載によれば、
遊技盤（Ｐ）を有する遊技機本体（Ｈ、Ｐ）と、
この遊技機本体に開閉可能に支持される前扉（Ｄ）とを備えて、
この前扉を開くことにより遊技盤をその盤面（３１）側から開放し、前扉を閉じることにより遊技盤をその盤面側から覆うようにしてなるパチンコ遊技機において、
遊技機本体と前扉の間に設けられるセキュリティ板（Ｓ）を備えており、
このセキュリティ板は、
遊技機本体に遊技盤側から開閉可能に支持される保持枠（６１）と、
透明板（６４）を有して保持枠内に前後方向に変位可能に保持される変位板部材（６２）と、
当該変位板部材を保持枠内にて前方へ押し出すようにして変位させ、また、変位板部材を保持枠内にて後方へ付勢するようにして変位させる変位機構（ＲＰ１）と、
変位板部材を遊技機本体に解除可能にロックするロック機構（ＲＰ２）とを具備して、
セキュリティ板は、ロック機構によりロックされた状態にて、変位機構により、変位板部材を前方へ押し出すようにして変位可能となっていることを特徴とするパチンコ遊技機である。
【００１１】
これによれば、セキュリティ板が、遊技機本体と前扉との間に開閉可能に支持されている。
【００１２】
このため、セキュリティ板を閉じたとき、当該セキュリティ板と遊技機本体との間には隙間が形成されない。従って、遊技機本体と前扉との間の隙間からピアノ線等を挿入させ得たとしても、当該ピアノ線等を、セキュリティ板と遊技機本体との間にまで挿入することは困難である。
【００１３】
従って、上記ピアノ線等は、遊技盤の盤面には到達し得ず、その結果、上述のような不正行為を未然に防止することができる。
【００１４】
また、セキュリティ板は、閉じたとき、ロック機構によりロックされるので、セキュリティ板を自由に開けることはできない。このため、当該パチンコ遊技機のセキュリティが向上する。
【００１５】
また、遊技球の球噛みが遊技盤とセキュリティ板の透明板との間で発生した場合には、前扉を閉じかつセキュリティ板をロックしたままで、変位板部材を変位機構により球噛みの解消可能に保持枠内にて前方へ押し出すようにして変位させることで、前扉及びセキュリティ板を開くことなく上記球噛みを解消し得ることとなり、便利である。
【００１６】
このとき、セキュリティ板は上述のごとくロックしたままであるから、当該パチンコ遊技機のセキュリティは、上記球噛みの解消前と同様に向上する。なお、遊技盤の盤面は、セキュリティ板の透明板を通して視認可能であるので、前扉から盤面を視認することに特に支障は生じない。
【００１７】
また、本発明は、請求項２の記載によれば、請求項１に記載のパチンコ遊技機において、
遊技機本体は、遊技盤を組み付けてなる枠体（Ｈ）を備えており、
変位機構は、
操作により一方向或いは他方向へ回動する駆動機構部材（ＲＰａ）と、
保持枠の上壁（６１ａ）と変位板部材の上壁（６３ｃ）と間に沿うように介装されて保持枠の上記上壁にその下側へ間隔をおいて上下動可能に支持される上側案内部材（ＲＰｃ）と、
保持枠の下壁（６１ｄ）と変位板部材の下壁（６３ｄ）と間に沿うように介装されて保持枠の上記下壁にその上側へ間隔をおいて上下動可能に支持される下側案内部材（ＲＰｄ）と、
保持枠の上下方向壁（６１ｂ、６１ｃ）の一方に保持枠の内側から沿うように上下動可能に支持される上下動機構部材（ＲＰｂ）とを具備して、
当該上下動機構部材は、駆動機構部材の上記一方向への回動に応じて上下両側案内部材を変位板部材に向けて移動させて当該変位板部材を前方へ押し出すように変位させ、また、駆動機構部材の上記他方向への回動に応じて上下両側案内部材を互いに離れる方向に移動させて変位板部材を後方へ変位させるようにしたことを特徴とする。
【００１８】
これによれば、遊技球の球噛みが遊技盤とセキュリティ板の透明板との間で発生した場合には、前扉を閉じかつセキュリティ板をロックしたままで、上下動機構部材が、駆動機構部材の上記一方向への回動に応じて上下両側案内部材を変位板部材に向けて移動させて当該変位板部材を前方へ押し出すように変位させるので、前扉及びセキュリティ板を開くことなく、より一層具体的に球噛みを解消し得る。
【００１９】
また、本発明は、請求項３の記載によれば、請求項１又は２に記載のパチンコ遊技機において、
ロック機構は、
駆動機構部材に同軸的に支持されて当該駆動機構部材の上記一方向への回動或いは上記他方向への回動に応じて枠体の一部に設けた係止部材（４１ｃ）に係止するように回動し或いは当該係止部材から解離するように回動するロックレバー（７４）を具備して、
当該ロックレバーの係止部材に対する係止によりセキュリティ板を枠体にロックし、このロックをロックレバーの係止部材からの解離により解除するようにしたことを特徴とする。
【００２０】
このような構成によれば、セキュリティ板のロック及びその解除がロック機構により確実になされることから、請求項１または２に記載の発明の作用効果をより一層確実に達成することができる。
【００２１】
また、本発明は、請求項４の記載によれば、請求項１〜３のいずれか１つに記載のパチンコ遊技機において、
上下動機構部材は、保持枠の上記上下方向壁の一方に保持枠の内側から沿うように上下動可能に支持される上下方向ラックであって上記上下方向壁の一方の上下方向中間部位に対向する一側歯部（７２ａ）及び上記上下方向壁の一方の上部とは逆方向を臨む他側歯部（７２ｈ）を設けてなる上下方向ラック（７２）と、
この上下方向ラックの上記他側歯部に噛合するように回動可能に支持されるピニオン（８１）とを具備し、
駆動軸部材は、上下方向ラックの上記一側歯部に噛合するように回動可能に支持されるピニオンであってその一方向或いは他方向への回動に伴い上下方向ラックを上方或いは下方へ移動させるピニオン（７１）を有し、
上側案内部材は、保持枠の前記上壁にその下側へ間隔をおいて上下動可能に支持される横方向ラックであって変位板部材の上記上壁に対向するように上側前方から下側後方に向けて傾斜する傾斜面（９１）を形成した案内壁（９０Ａ）及び上下方向ラックのピニオンに噛合する歯部（８２ｃ）を設けてなる横方向ラック（８２）を具備し、
下側案内部材は、上下方向ラックの下端部から横方向ラックに対向するように横方向に延出する横方向ラックであって変位板部材の上記下壁に対向するように下側前方から下側後方に向けて傾斜する傾斜面（９２）を形成した案内壁（９０Ｂ）を設けてなる横方向ラック（７２ｃ、９０Ｂ）を具備し、
変位板部材は、その上壁及び下壁からそれぞれ後方へ突設される上下両側突出壁であって上下両側案内部材の上記各案内壁の傾斜面にそれぞれ摺接するように形成した各傾斜面（６３ｈ、６３ｊ）を有する上下両側突出壁（６３ｉ、６３ｋ）を設けてなり、
保持枠は、変位板部材を引きつけるように付勢する付勢手段（６１ｇ）を有しており、
上下動機構部材は、駆動機構部材のピニオンの上記一方向への回動に応じて上下両側案内部材を変位板部材に向けて移動させて上下両側案内部材の上記各案内壁の上記傾斜面にて変位板部材の上記上下両側突出壁の各傾斜面に摺接しながら変位板部材を付勢手段に抗して前方へ押し出すように変位させ、また、駆動機構部材の上記他方向への回動に応じて上下両側案内部材を互いに離れる方向へ移動させて付勢手段の付勢のもとに保持枠の上記上下両側突出壁の各傾斜面にて上下両側案内部材の上記各案内壁の上記傾斜面に摺接しながら変位板部材を後方へ変位させるようにしたことを特徴とする。
【００２２】
このような構成によれば、上下動機構部材が、駆動機構部材のピニオンの上記一方向への回動に応じて上下両側案内部材を変位板部材に向けて移動させて上下両側案内部材の上記各案内壁の上記傾斜面にて変位板部材の上記上下両側突出壁の各傾斜面に摺接しながら変位板部材を付勢手段に抗して前方へ押し出すように変位させることで、セキュリティ板をロックしたままにて、変位板部材を前方へ変位させ得る。これにより、透明板と遊技盤の盤面との間に生ずる球噛みの解消がより一層確実になされ得る。
【００２３】
また、このような球噛みの解消後は、上下動機構部材が、駆動機構部材の上記他方向への回動に応じて上下両側案内部材を互いに離れる方向へ移動させて付勢手段の付勢のもとに保持枠の上記上下両側突出壁の各傾斜面にて上下両側案内部材の上記各案内壁の上記傾斜面に摺接しながら変位板部材を後方へ変位させることで、セキュリティ板をロックしたままにて変位板部材を原位置に戻すことができる。
【００２４】
また、本発明は、請求項５の記載によれば、請求項１〜３のいずれか１つに記載のパチンコ遊技機において、
遊技盤は、その盤面にその少なくとも下側外周部に沿い上に凹な湾曲状となるように設けられる内レール（３４）と、球落下防止装置（ＢＣ）とを備えて、
この球落下防止装置は、
内レールの下側部位の下面に沿い前後方向に変位する球受けレール（１００ａ）と、
セキュリティ板が変位板部材にて前方へ移動するのにあわせて、球受けレールを内レールの下側部位の下面に沿い前方へ移動させるように駆動する駆動機構（１００ｂ）とを具備することを特徴とする。
【００２５】
このように、上述のように構成した球落下防止装置を遊技盤に設けるようにしたので、遊技球の球噛みがセキュリティ板と遊技盤の盤面との間に生じたとき、球落下防止装置は、セキュリティ板の変位板部材の前方への移動にあわせて、駆動機構による駆動のもと、球受けレールを、内レールの下側部位の下面に沿い前方へ移動させる。
【００２６】
このため、遊技球がセキュリティ板の変位板部材の前方への移動に伴い球噛みから解消されて落下しても、当該遊技球は、内レールの下方へ落下することなく、球受けレールにより確実に受け止められて、内レールの上面を通り当該内レールの下端部直上に位置するアウト口を通して排出され得る。
【００２７】
また、本発明は、請求項６の記載によれば、請求項１〜５のいずれか１つに記載のパチンコ遊技機において、
遊技盤は、上記盤面の外周部から前方へ突出してなる装飾部品（３５）を備えており、
セキュリティ板は、その装飾部品に対する対応部位にて、空所（Ｇ）を当該装飾部品の挿通可能に形成してなることを特徴とする。
【００２８】
このような構成において、パチンコ遊技機では、一般的に、前扉に電飾部品等の装飾部品を設けることで、演出効果を高めることが行われている。ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
【００２９】
このため、電飾部品等の装飾部品を、前扉ではなく、遊技盤の盤面に突設することで、パチンコ遊技機としての装飾部品による演出効果を遊技盤の交換毎に新たに高めることができる。
【００３０】
ここで、セキュリティ板を遊技機本体に開閉可能に支持した場合には、セキュリティ板を閉じるにあたり、装飾部品が邪魔になって当該セキュリティ板を閉じることができない。そこで、上述のごとく、セキュリティ板に上記空所を設けることで、セキュリティ板を閉じるとき、装飾部品を上記空所に挿通させることにより、セキュリティ板を装飾部品により邪魔されることなく良好に閉じることができる。
【発明の効果】
【００３１】
請求項１の記載によれば、セキュリティ板が遊技機本体と前扉との間に開閉可能に支持されている。このため、セキュリティ板を閉じたとき、当該セキュリティ板と遊技機本体との間には隙間が形成されない。しかも、セキュリティ板は、閉じたとき、ロック機構によりロックされるので、セキュリティ板を自由に開けることはできない。このため、当該パチンコ遊技機のセキュリティが向上する。
【００３２】
また、遊技球の球噛みが遊技盤とセキュリティ板の透明板との間で発生した場合には、前扉を閉じかつセキュリティ板をロックしたままで、変位板部材を変位機構により球噛みの解消可能に保持枠内にて前方へ押し出すようにして変位させることで、前扉及びセキュリティ板を開くことなく上記球噛みを解消し得ることとなり、便利である。
【００３３】
なお、上記各手段の括弧内の符号は、後述する実施形態に記載の具体的手段との対応関係を示す。
【図面の簡単な説明】
【００３４】
【図１】本発明に係るパチンコ遊技機の第１実施形態を、キー及び工具を前扉の施錠装置及び工具挿入穴部にそれぞれ挿入した状態にて示す正面図である。
【図２】図１のパチンコ遊技機の側面図である。
【図３】図１のパチンコ遊技機の平面図である。
【図４】図１にてセキュリティ板が原位置にあるときの４−４線に沿う断面図である。
【図５】図４にてセキュリティ板が前進位置に移動した状態を示す断面図である。
【図６】上記第１実施形態における前扉の分解斜視図である。
【図７】上記第１実施形態におけるパチンコ遊技機の分解斜視図である。
【図８】上記実施形態におけるセキュリティ板のその前面側から見たときの斜視図である。
【図９】上記実施形態におけるセキュリティ板のその後面側から見たときの斜視図である。
【図１０】図８のセキュリティ板の分解斜視図である。
【図１１】上記第１実施形態における変位板部材のその原位置にあるときの斜視図である。
【図１２】上記第１実施形態における変位板部材に対する球噛み解消のための外部操作が行われるときの斜視図である。
【図１３】上記第１実施形態におけるロック機構がロックレバーにて係止部材に係止した状態を示す正面図である。
【図１４】上記第１実施形態におけるロック機構がロックレバーにて係止部材との係止から解離する過程を示す正面図である。
【図１５】上記第１実施形態におけるロック機構がロックレバーにて係止部材との係止から解離した状態を示す正面図である。
【図１６】上記第１実施形態において変位板部材が原位置にあるときの上下動機構部材と上側案内部材との位置関係を示す正面図である。
【図１７】上記第１実施形態において変位板部材を前方へ変位させる過程にあるときの上下動機構部材と上側案内部材との位置関係を示す正面図である。
【図１８】上記第１実施形態において変位板部材を前進位置へ変位させたときの上下動機構部材と上側案内部材との位置関係を示す正面図である。
【図１９】上記第１実施形態において変位板部材が原位置にあるときの当該変位板部材の上側突出壁と上側案内部材の案内壁との位置関係を示す断面図である。
【図２０】上記第１実施形態において変位板部材が原位置から前進位置への変位過程にあるときの当該変位板部材の上側突出壁と上側案内部材の案内壁との位置関係を示す断面図である。
【図２１】上記第１実施形態において変位板部材が原位置から前進位置へ変位したときの当該変位板部材の上側突出壁と上側案内部材の案内壁との位置関係を示す断面図である。
【図２２】上記第１実施形態において変位板部材が原位置にあるときの当該変位板部材の下側突出壁と下側案内部材の案内壁との位置関係を示す断面図である。
【図２３】上記第１実施形態において変位板部材が原位置から前進位置への変位過程にあるときの当該変位板部材の下側突出壁と下側案内部材の案内壁との位置関係を示す断面図である。
【図２４】上記第１実施形態において変位板部材が原位置から前進位置へ変位したときの当該変位板部材の下側突出壁と下側案内部材の案内壁との位置関係を示す断面図である。
【図２５】本発明に係るパチンコ遊技機の第２実施形態を示す部分破断正面図である。
【図２６】上記第２実施形態においてセキュリティ板の変位板部材のガラス板が原位置にあるときの図２５の２６−２６線に沿う断面図である。
【図２７】上記第２実施形態においてセキュリティ板の変位板部材のガラス板が前進位置にあるときの状態を示す球落下防止装置の断面図である。
【図２８】上記第２実施形態においてセキュリティ板の開状態にて球受けレールを後方へ押し込んだときの状態を示す球落下防止装置の断面図である。
【図２９】上記第２実施形態においてセキュリティ板を閉じる過程における状態を示す球落下防止装置の断面図である。
【図３０】上記第２実施形態において前方へ変位した状態にある球受けレールと内レールとの位置関係を説明するための遊技盤の部分破断斜視図である。
【図３１】上記第２実施形態において後方へ変位した状態にある球受けレールと内レールとの位置関係を説明するための遊技盤の部分破断斜視図である。
【発明を実施するための形態】
【００３５】
以下、本発明の各実施形態を図面により説明する。
【００３６】
（第１実施形態）
図１〜図３は、本発明を適用してなるパチンコ遊技機の第１実施形態を示しており、当該パチンコ遊技機は、パチンコホール内の設置島に立設されるものである。
【００３７】
このパチンコ遊技機は、図１〜図７のいずれかから分かるように、機枠（図示しない）、遊技盤Ｐを枠体Ｈに組み付けてなる遊技機本体と、この遊技機本体に開閉可能に支持される前扉Ｄ及びセキュリティ板Ｓとによって構成されている。なお、図１において、図示左側、右側、上側及び下側を、それぞれ、当該パチンコ遊技機の左側、右側、上側及び下側という。
【００３８】
前扉Ｄは、セキュリティ板Ｓを介し、枠体Ｈにその前面側から開閉可能に支持されているもので、この前扉Ｄは、扉本体Ｄａ（図２参照）と、この扉本体Ｄａの窓穴部１１にその裏面側から取り付けたガラス板１２とにより構成されている（図１参照）。
【００３９】
前扉Ｄは、上ヒンジ板２１（図２参照）と、下ヒンジ板（図示せず）とにより、枠体Ｈに上述のごとく開閉可能に支持されており、この前扉Ｄは、閉じたときに、遊技盤Ｐをその盤面３１側から覆い、また、開いたときに、遊技盤Ｐをその盤面３１側から開放する。なお、上記下ヒンジは、枠体Ｈの突出部４２（図７参照）の左端部上に装着されている。
【００４０】
また、前扉Ｄは、図７にて示すごとく、遊技球を貯留する球受け皿１３、この球受け皿１３内の遊技球を遊技盤Ｐの遊技領域３２へと打球するときに操作される発射ハンドル１４、遊技者の遊技への参加意識を高めるために所定の演出時に遊技者によりプッシュ操作される演出操作ボタン１５などを備えている。
【００４１】
ここで、扉本体Ｄａの窓穴部１１の外周部のうち各隅角部には、各貫通穴部１６〜１６が後述する各装飾部品３５に対応するように形成されている。なお、当該各貫通穴部１６〜１６には、その前側開口部にて、各透明板が嵌着されていてもよい。
【００４２】
また、前扉Ｄには、施錠装置１７が設けられており、この施錠装置１７は、キーＫの一方向回動操作により、前扉Ｄを枠体Ｈに対して施錠し、また、当該キーＫの他方向回動操作により、当該前扉Ｄの枠体Ｈに対する施錠を解錠する（図６参照）。なお、前扉Ｄには、工具挿入穴部１８が、図７にて示すごとく、後述する如き球噛み解消に用いる軸状工具Ｔを挿入するために設けられており、この工具挿入穴部１８は、後述のごとく内枠６２の外枠６１に対する上下動を許容するように上下方向に長穴状に形成されている。
【００４３】
遊技盤Ｐは、図７にて示すごとく、その盤面３１にて、外レール３３と内レール３４を備えており、これら外レール３３及び内レール３４は、その内周側にて、遊技盤Ｐの盤面３１上に遊技領域３２を形成している。
【００４４】
外レール３３は、発射ハンドル１４の回動操作により発射された遊技球を遊技領域３２へ案内する。遊技領域３２には、図示しないが、遊技釘、風車、普通入賞口装置、第１始動口を有するスタートチャッカー、第２始動口を有する電動チューリップ、大入賞口を有するアタッカー、ゲート（スルーチャッカー）、ステージやアウト口などが設けられている。
【００４５】
また、遊技盤Ｐは電飾部品などの三角柱状の複数の装飾部品３５を備えており、これら各装飾部品３５は、図７にて示すごとく、それぞれ、遊技盤Ｐの盤面３１の各隅角部に前方に向け突設されている。本第１実施形態では、各装飾部品３５は、それぞれ、セキュリティ板Ｓの各空所Ｇ（後述する）及び前扉Ｄの各貫通穴部１６〜１６に挿通されて、その前面３５ａにて遊技盤Ｐの盤面３１の前方を臨むようになっている。なお、遊技盤Ｐには、その裏面側から、画像表示器、電源回路や遊技制御回路（主基板、サブ基板）などが組み付けられている。
【００４６】
枠体Ｈは、図７にて示すごとく、四角形状の中空部を有する四角形状の枠部４１と、この枠部４１の下端から前方へ突出する突出部４２とにより構成されている。なお、遊技盤Ｐは、枠部４１の中空部内に嵌装されて、上述のごとく枠体Ｈに組み付けられている。
【００４７】
セキュリティ板Ｓは枠体Ｈに前後方向に開閉可能に支持されているもので、このセキュリティ板Ｓは、図７〜図１０のいずれかに示すように、矩形状の保持枠６１を備えている。
【００４８】
保持枠６１は、上壁６１ａと、左壁６１ｃと、右壁６１ｂと、下壁６１ｄとにより、矩形枠状に形成されており、この保持枠６１は、図７にて示すごとく、三角状の上ヒンジ板５１及び三角状の下ヒンジ板５２により、枠体Ｈに前後方向に回動可能に支持されている。このことは、セキュリティ板Ｓが上述のごとく枠体Ｈに前後方向に開閉可能に支持されていることを意味する。
【００４９】
本第１実施形態において、上ヒンジ板５１は、その前端角部にて、保持枠６１の上壁６１ａの左端部にヒンジピン５３により回動可能に支持されており、当該上ヒンジ板５１の後端部は、２つのネジにより、枠体Ｈの枠部４１の上壁部４１ａの左端部にその下側から締着されている。
【００５０】
一方、下ヒンジ板５２は、その前端角部にて、保持枠６１の下壁６１ｄの左端部にヒンジピン５４により回動可能に支持されており、当該下ヒンジ板５２の後端部は、２つのネジにより、枠体Ｈの枠部４１の下壁部の左端部にその上側から締着されている。これにより、保持枠６１は、上述のごとく、枠体Ｈに前後方向に回動可能に支持されている。
【００５１】
また、保持枠６１において、上壁６１ａは、図１０に示すように、左右方向に所定間隔を置いて２つの貫通した直線状長孔部６１ｅを有しており、各直線状長孔部６１ｅは、上壁６１ａの幅方向（当該パチンコ遊技機の前後方向）に沿い直線的に長く形成されている。当該各直線状長孔部６１ｅは、それぞれ、後述する各案内ピン６３ｇ（図１０参照）の外径よりも僅かに大きな左右方向の幅を有している。
【００５２】
下壁６１ｄは、上壁６１ａの各直線状長孔部６１ｅに対向する各直線状長穴部（それぞれ符号６１ｅにて示す）を有しており、当該下壁６１ｄの各直線状長孔部６１ｅは、上壁６１ａの各直線状長孔部６１ｅと同様の形状を有するように、下壁６１ｄに前後方向に長手状に形成されている。
【００５３】
また、保持枠６１は、図１０にて示すごとく、上下両側２組の各両捩りばね６１ｇを有している。両上側コイル状捩りばね６１ｇは、それぞれ、その各コイル部にて、各対応の上側支持ピン６１ｈに同軸的に挿入されている。なお、各上側支持ピン６１ｈは、保持枠６１の上壁６１ａのうちその各直線状長孔部６１ｅの近傍部位から上方へ突設されている。
【００５４】
しかして、当該両上側コイル状捩りばね６１ｇは、それぞれ、その各一端部にて、各対応の左右上側案内ピン６３ｇ（後述する）に係止されており、両上側コイル状捩りばね６１ｇの各他端部は、保持枠６１の上壁６１ａのうち各対応の直線状長孔部６１ｅの後端部の近傍に係止されている。これにより、左右上側案内ピン６３ｇは、両上側コイル状捩りばね６１ｇにより、その各一端部を基準に、上壁６１ａのうち各対応の直線状長孔部６１ｅの後端部に向けて押し付けられるように付勢されている。
【００５５】
両下側コイル状捩りばね６１ｇは、それぞれ、その各コイル部にて、各対応の下側支持ピン６１ｈに同軸的に挿入されている。なお、各下側支持ピン６１ｈは、保持枠６１の下壁６１ｄのうちその各直線状長孔部６１ｅの近傍部位から下方へ突設されている。
【００５６】
しかして、当該両下側コイル状捩りばね６１ｇは、それぞれ、その各一端部にて、各対応の左右下側案内ピン６３ｇに係止されており、左右下側コイル状捩りばね６１ｇの各他端部は、保持枠６１の下壁６１ｄのうち各対応の直線状長孔部６１ｅの後端部の近傍に係止されている。これにより、左右下側案内ピン６３ｇは、左右下側コイル状捩りばね６１ｇにより、その各一端部を基準に、下壁６１ｄのうち各対応の直線状長孔部６１ｅの後端部に向けて押し付けられるように付勢されている。
【００５７】
また、セキュリティ板Ｓは、図１０〜図１２にて示すごとく、ラック・ピニオン装置ＲＰ及び変位板部材６２を備えている。
【００５８】
ラック・ピニオン装置ＲＰは、保持枠６１にその内側から上壁６１ａ、右壁６１ｂ及び下壁６１ｄに沿うようにコ字状の構成にて組み付けられており、当該ラック・ピニオン装置ＲＰは、後述のごとく変位板部材６２を前後方向に変位させる変位機構ＲＰ１と、後述のごとく保持枠６１を枠体Ｈに解除可能にロックするロック機構ＲＰ２とにより構成されている。
【００５９】
変位機構ＲＰ１は、駆動機構部材ＲＰａと、上下動機構部材ＲＰｂ、上側案内部材ＲＰｃと、下側案内部材ＲＰｄとを備えている。
【００６０】
駆動機構部材ＲＰａは、図１０にて示すごとく、ピニオン７１を備えており、このピニオン７１は、前後方向軸７３とともに、両軸受け６１ｓ、６１ｔを介し保持枠６１の右壁６１ｂにその左面側から支持されている。
【００６１】
ここで、前後方向軸７３は、前後方向に沿い延在するように、軸受け６１ｓにより保持枠６１の右壁６１ｂにその左面側から回動自在に支持されており、この前後方向軸７３は、その前端部にて、軸状工具Ｔの軸部Ｔａに同軸的にかつ係脱可能に連結されるようになっている。なお、前後方向軸７３は、軸受け６１ｓに対し両ストップリング７１ｃにより抜け止めされて、当該軸受け６１ｓにより同軸的に支持されている。
【００６２】
また、ピニオン７１は、平歯車からなるもので、このピニオン７１は、その歯部７１ａにて、ラック７２（後述する）の歯部７２ａと噛合するように、ピニオン軸７１ｂにて、軸受け６１ｔを介し保持枠６１の右壁６１ｂにその左面側から回動自在に支持されるとともに、前後方向軸７３にその後端部側から同軸的に連結されている。これにより、ピニオン７１は、工具Ｔの一方向への回動操作（或いは他方向への回動操作）に連動する前後方向軸７３の一方向への回動（或いは他方向への回動）に応じて一方向（或いは他方向）に回動する。
【００６３】
上下動機構部材ＲＰｂは、ラック７２を有しており、このラック７２は、保持枠６１の右壁６１ｂに沿うようにその左側からピニオン７１を介し支持されている。
【００６４】
当該ラック７２は、下側帯状歯部７２ａ及び上側帯状歯部７２ｈ（図１１参照）と、角柱状上下方向軸７２ｂとを有している。上下方向軸７２ｂは、保持枠６１の右壁６１ｂにその左側からピニオン７１を介し上下方向に平行に沿うように上下両側ピン支持板６１ｋ、６１ｕ及び上下両側案内ピン７２ｆ、７２ｇを介し上下動可能に支持されている。なお、上下方向軸７２ｂは、その右側面にて、保持枠６１の右壁６１ｂの左側面に対向するように支持されている。
【００６５】
ここで、上下両側ピン支持板６１ｋ、６１ｕは、共に同一の構成を有するもので、上側ピン支持板６１ｋは、その鍔部にて保持枠６１の上壁６１ａの右端部にその下面側から装着されている。また、当該上側ピン支持板６１ｋは、その長孔部６１ｍにて、保持枠６１の右壁６１ｂの左側面に平行となるように上記鍔部から下方へ延出している。なお、長孔部６１ｍは、上下方向に長孔状に形成されている。
【００６６】
一方、下側ピン支持板６１ｕは、上側ピン支持板６１ｋに対向して位置するもので、この下側ピン支持板６１ｕは、その鍔部にて保持枠６１の下壁６１ｄの右端部にその上面側から装着されており、当該下側ピン支持板６１ｕは、長孔部６１ｖにて、保持枠６１の右壁６１ｂの左側面に平行となるように上記鍔部から上方へ延出して、上側ピン支持板６１ｋの長孔部６１ｍに対向している。なお、長孔部６１ｖは、上下方向に長孔状に形成されている。
【００６７】
上下両側案内ピン７２ｆ、７２ｇのうち、上側案内ピン７２ｆは、その基部にて、上下方向軸７２ｂの上端部にその右側から形成した圧入孔部７２ｄに圧入されており、当該上側案内ピン７２ｆは、その基部から右方へ延出して上側ピン支持板６１ｋの長孔部６１ｍに上下方向に相対移動可能に係合している。一方、下側案内ピン７２ｇは、その基部にて、上下方向軸７２ｂの下端部にその右側から形成した圧入孔部７２ｅに圧入されており、当該下側案内ピン７２ｇは、その基部から右方へ延出して下側ピン支持板６１ｕの長孔部６１ｖに上下方向に相対移動可能に係合している。これにより、上下方向軸７２ｂは、上下両側案内ピン７２ｆ、７２ｇにより上下両側ピン支持板６１ｋ、６１ｕの各長孔部６１ｍ、６１ｖに沿い案内されて、保持枠６１の右壁６１ｂの左側面に沿い上下動する。
【００６８】
下側帯状歯部７２ａ及び上側帯状歯部７２ｈのうち、下側帯状歯部７２ａは、ピニオン７１と噛合するように、上下方向軸７２ｂの下側中間部位に沿いその右側面から上下方向に帯状に形成されている。また、上側帯状歯部７２ｈは、ピニオン８１の歯部８１ａ（後述する）と噛合するように、上下方向軸７２ｂの上端部に沿いその左側面から上下方向に帯状に形成されている。
【００６９】
上下動機構部材ＲＰｂは、図１０にて示すごとく、上述したピニオン８１を有しており、このピニオン８１は、そのピニオン軸８１ｂにて、軸受け６１ｎを介し保持枠６１の上壁６１ａの右端部にその下側から回動自在に支持されている。これにより、当該ピニオン８１は、ラック７２の上側帯状歯部７２ｈとの噛合のもと、当該ラック７２の上動或いは下動に従い一方向或いは他方向に回動する。
【００７０】
上側案内部材ＲＰｃ及び下側案内部材ＲＰｄのうち、上側案内部材ＲＰｃは、ラック８２を有しており、このラック８２は、角柱状の左右方向軸８２ａ（以下、上側左右方向軸８２ａともいう）と、角柱状の上下方向軸８２ｂと、案内壁９０Ａ（以下、上側案内壁９０Ａともいう）とにより構成されている。
【００７１】
上側左右方向軸８２ａは、左右両側支持板６１ｑ、６１ｏ及び左右両側案内ピン８２ｅ、８２ｄを介し、保持枠６１の上壁６１ａに沿いその下面側から支持されている。
【００７２】
ここで、左右両側支持板６１ｑ、６１ｏは、共に同一の構成を有するもので、左側ピン支持板６１ｑは、その鍔部にて保持枠６１の上壁６１ａの左端部にその下面側から装着されている。また、当該左側ピン支持板６１ｑは、その長孔部６１ｒにて、保持枠６１の左壁６１ｃの右側面に平行となるように上記鍔部から下方へ延出している。ここで、長孔部６１ｒは、上下方向に長孔状に形成されている。
【００７３】
一方、右側ピン支持板６１ｏは、その鍔部にて保持枠６１の上壁６１ａのうち左右方向軸８２ａの右端部に対する対応部位にその下面側から装着されており、当該右側ピン支持板６１ｏは、長孔部６１ｐにて、保持枠６１の右壁６１ｂの左側面に平行となるように上記鍔部から下方へ延出して、左側ピン支持板６１ｑの長孔部６１ｒに右側から対向している。ここで、長孔部６１ｐは、上下方向に長孔状に形成されている。なお、各長孔部６１ｒ、６１ｐ及び各長孔部６１ｍ、６１ｖの孔形状は、各長孔部６１ｅの孔形状と同一である。
【００７４】
左右両側案内ピン８２ｅ、８２ｄのうち、左側案内ピン８２ｅは、その基部にて、左右方向軸８２ａの左端部にその後側から形成した圧入孔部（図示しない）に圧入されており、当該左側案内ピン８２ｅは、その基部から後方へ延出して左側ピン支持板６１ｑの長孔部６１ｒに上下方向に相対移動可能に係合している。一方、右側案内ピン８２ｄは、その基部にて、左右方向軸８２ａの右端部にその後側から形成した圧入孔部（図示しない）に圧入されており、当該右側案内ピン８２ｄは、その基部から後方へ延出して右側ピン支持板６１ｏの長孔部６１ｐに上下方向に相対移動可能に係合している。これにより、左右方向軸８２ａは、左右両側案内ピン８２ｅ、８２ｄにより左右両側ピン支持板６１ｑ、６１ｏの各長孔部６１ｒ、６１ｐに沿い案内されて、保持枠６１の上壁６１ａとの平行状態を維持しつつ上下動する。
【００７５】
上下方向軸８２ｂは、図１０にて示すごとく、左右方向軸８２ａの右端部から下方へＬ字状に折れ曲がるように延出しており、この上下方向軸８２ｂの右側面には、帯状歯部８２ｃが、上下方向に形成されて、ピニオン８１に噛合している。これにより、上下方向軸８２ｂは、ピニオン８１の一方向回動或いは他方向回動に伴い下方或いは上方へ移動する。このことは、左右方向軸８２ａが、上下方向軸８２ｂの下方或いは上方へ移動に伴い、下方或いは上方へ移動することを意味する。なお、ラック８２は、ピニオン８１と共に、いわゆるラック・ピニオン機構を構成する。
【００７６】
上側案内壁９０Ａは、図１０及び図１９〜図２１のいずれかにて示すごとく、次のように、上側左右方向軸８２ａの左側部位から下方へ突設されている。
【００７７】
当上側該案内壁９０Ａは、図１９〜図２１にて示すごとく、直角三角柱状のもので、この上側案内壁９０Ａは、上側左右方向軸８２ａの左側部位と一体的に形成されて、当該左側部位から下方へ突出している。ここで、上側案内壁９０Ａは、その傾斜面９１にて、上側左右方向軸８２ａの左側部位の下面前縁部から下側斜め後方へ傾斜状に延出するように形成されている。これにより、上側案内壁９０Ａは、その傾斜面９１にて、変位板部材６２の保持枠６３の上壁６３ｃ（後述する）と接触して当該上壁６３ｃを前方へ押動により案内する役割を果たす。
【００７８】
下側案内部材ＲＰｄは、図１０にて示すごとく、角柱状の左右方向軸７２ｃ（以下、下側左右方向軸７２ｃともいう）と、案内壁９０Ｂ（以下、下側案内壁９０Ｂともいう）とにより構成されている。
【００７９】
下側左右方向軸７２ｃは、上下方向軸７２ｂと一体的に形成されており、この下側左右方向軸７２ｃは、上下方向軸７２ｂの下端部から左方へＬ字状に延出されている。これにより、当該側左右方向軸７２ｃは、保持枠６１の下壁６１ｄの上面に沿うように上下方向軸７２ｂにより支持されて、当該上下方向軸７２ｂの上方或いは下方への移動に伴い上方或いは下方へ移動する。
【００８０】
上側案内壁９０Ｂは、図１０及び図２２〜図２４のいずれかにて示すごとく、次のように、下側左右方向軸７２ｃの左側部位から上方へ突設されている。
【００８１】
当下側該案内壁９０Ｂは、図２２〜図２４にて示すごとく、直角三角柱状のもので、この下側案内壁９０Ｂは、下側左右方向軸７２ｃの左側部位と一体的に形成されて、当該左側部位から上方へ突出している。ここで、下側案内壁９０Ｂは、その傾斜面９２にて、下側左右方向軸７２ｃの左側部位の上面前縁部から上側斜め後方へ傾斜状に延出するように形成されている。これにより、下側案内壁９０Ｂは、その傾斜面９２にて、変位板部材６２の保持枠６３の下壁６３ｄ（後述する）と接触して当該下壁６３ｄを前方へ押動により案内する役割を果たす。なお、下側左右方向軸７２ｃ及び下側案内壁９０Ｂは、下側ラックともいう。
【００８２】
ロック機構ＲＰ２は、図１０にて示すごとく、駆動機構部材ＲＰａと共用する上述のピニオン７１と、ロックレバー７４とを有している。ロックレバー７４は、その基端部にて、ピニオン７１のピニオン軸７１ｂに同軸的に支持されており、このロックレバー７４は、その基端部からピニオン軸７１ｂに対し直交するように延出されて、枠体Ｈの右壁４１ｂに設けた係止部材４１ｃに係止可能となっている。本実施形態では、係止部材４１ｃは、その両脚部にて、枠体Ｈの右壁４１ｂの前面に装着されており、当該係止部材４１ｃは、そのコ字状係止部４１ｄにて、上記両脚部の各対向端部から前方へコ字状に突出されている。
【００８３】
しかして、ロックレバー７４は、図１３にて図示時計方向への回動により、その延出端部にて、係止部材４１ｃの係止部４１ｄ内に係止し、また、図１４及び図１５にて示すごとく、時計方向へのさらなる回動により、係止部材４１ｃの係止部４１ｄから解離する。
【００８４】
このことは、ロック機構ＲＰ２は、図１３にて示す位置にあるロックレバー７４の係止部材４１ｃのコ字状係止部４１ｄ内への係止により、保持枠６３（換言すればセキュリティ板Ｓ）を枠体Ｈにロックし、図２０及び図２１にて示すごとく時計方向へさらに回動するロックレバー７４の係止部材４１ｃのコ字状係止部４１ｄからの解離により、上記ロックを解除することを意味する。
【００８５】
変位板部材６２は、図７〜図１２のいずれかにて示すように、正八角形状の保持枠６３と、正八角形状のガラス板６４とを備えており、ガラス板６４は、保持枠６３の正八角形状中空部内に嵌め込まれている。なお、保持枠６３は、右壁６３ａ、左壁６３ｂ、上壁６３ｃ、下壁６３ｄ及び各傾斜壁６３ｅによって、上述のごとく、正八角形状に形成されている。
【００８６】
このように構成した変位板部材６２は、図７に示すように、次のようにして、保持枠６１の上壁６１ａと下壁６１ｄの間にて当該上壁６１ａ、下壁６１ｄに対し前後方向に変位可能となるように、当該保持枠６１の矩形状中空部内に組み付けられている。
【００８７】
ここで、変位板部材６２は、左右上側及び左右下側の各案内ピン６３ｇ（図１０参照）を有しており、左右上側案内ピン６３ｇは、それぞれ、保持枠６３の上壁６３ｃのうち保持枠６１における上壁６１ａの各対応の直線状長孔部６１ｅに対する各対応部位からそれぞれ上方へ突出されている。これにより、左右上側案内ピン６３ｇは、それぞれ、各対応の直線状長孔部６１ｅ内にその長手方向（前後方向）へ相対変位可能に挿入されている。なお、左右上側案内ピン６３ｇは、上壁６３ａのうち上壁６１ａの両直線状長孔部６１ｅに対する各対応部位に形成された両圧入孔部６３ｆの各々に圧入されて上方へ突出している。
【００８８】
左右下側案内ピン６３ｇは、それぞれ、保持枠６３の下壁６３ｄのうち保持枠６１における下壁６１ｄの各対応の直線状長孔部６１ｅに対する各対応部位からそれぞれ下方へ突出されて、当該各対応の直線状長孔部６１ｅ内にその長手方向（前後方向）へ相対変位可能に挿入されている。なお、左右下側案内ピン６３ｇは、下壁６３ｄのうち上下壁６１ｄの両直線状長孔部６１ｅに対向する各部位にて形成された両圧入孔部の各々に圧入されて下方へ突出している。
【００８９】
また、保持枠６３は、図１９〜図２４のいずれかにて示すごとく、上側突出壁６３ｉ及び下側突出壁６３ｋを有しており、上側突出壁６３ｉは、上側案内部材ＲＰｃの上側案内壁９０Ａに対向するように、保持枠６３の上壁６３ｃの下端後部から後方へ一体的に突出形成されている。ここで、上側突出壁６３ｉは、その突出端面にて、上側案内壁９０Ａの傾斜面９１に平行な傾斜面６３ｈとして形成されている。
【００９０】
これにより、上側突出壁６３ｉは、傾斜面６３ｈにて、上側案内壁９０Ａの傾斜面９１との摺接のもと、上側案内壁９０Ａの下方への移動に応じて傾斜面９１により前方へ押動される。また、上側突出壁６３ｉは、傾斜面６３ｈにて、上側案内壁９０Ａの傾斜面９１との摺接のもと、両左右上側捻りばね６１ｇにより引っ張られて傾斜面９１を後方へ押動しながら上側案内壁９０Ａを上方へ移動させる。
【００９１】
また、下側突出壁６３ｋは、下側案内部材ＲＰｄの下側案内壁９０Ｂに対向するように、保持枠６３の下壁６３ｄの上端後部から後方へ一体的に突出形成されている。ここで、下側突出壁６３ｋは、その突出端面にて、下側案内壁９０Ｂの傾斜面９２に平行な傾斜面６３ｊとして形成されている。これにより、下側突出壁６３ｋは、傾斜面６３ｊにて、下側案内壁９０Ｂの傾斜面９２との摺接のもと、下側案内壁９０Ｂの上方への移動に応じて傾斜面９２により前方へ押動される。また、下側突出壁６３ｋは、傾斜面６３ｊにて、下側案内壁９０Ｂの傾斜面９２との摺接のもと、両左右下側捻りばね６１ｇにより引っ張られて傾斜面９２を後方へ押動しながら下側案内壁９０Ｂを下方へ移動させる。
【００９２】
これにより、変位板部材６２は、上述のごとく、保持枠６１内にてその上下壁６１ａ、６１ｄの間にて当該上下壁６１ａ、６１ｄに対し各直線状長孔部６１ｅに沿い前後方向に変位可能となっている。
【００９３】
本第１実施形態では、後述のごとく変位板部材６２の前方への変位に伴いガラス板６４が遊技盤Ｐの盤面３１との間の遊技球の球噛みの解消可能な位置（変位板部材６２の前進位置）に達したときに左右上側案内ピン６３ｇが左右上側直線状長孔部６１ｅ内にて達する各前進位置を、当該左右上側直線状長孔部６１ｅの各所定の前後方向中間部位とするとともに、左右下側案内ピン６３ｇが左右下側直線状長孔部６１ｅ内にて達する各前進位置を、当該左右下側直線状長孔部６１ｅの各所定の前後方向中間部位に対応させるように設定してある。従って、工具Ｔを上述のごとく係止部材４１ｃとの係止から解離させるには、工具Ｔを上述のようなさらなる時計方向への回動させることで、左右上側案内ピン６３ｇを左右上側直線状長孔部６１ｅの各後端部まで移動させるとともに左右下側案内ピン６３ｇを左右下側直線状長孔部６１ｅの各後端部まで移動させる。
【００９４】
また、上述のように変位板部材６２を保持枠６１内に組み付けることで、保持枠６１の各隅角部と保持枠６３の各々対応する傾斜壁６３ｅとの間には、三角形状の空所Ｇが形成され、各空所Ｇは、図７に例示するように、遊技盤Ｐの各装飾部品３５を挿通させる役割を果たす。なお、セキュリティ板Ｓの開閉の際に、各装飾部品３５が、各対応の空所Ｇの内周部と干渉しあわないように、各空所Ｇの開口形状が大きく形成されている。
【００９５】
以上のように構成した本第１実施形態において、当該パチンコ遊技機では、前扉Ｄが、セキュリティＳとともに、遊技盤Ｐを介し枠体Ｈを閉じた状態にあるものとする。
【００９６】
このような状態では、図１９に示すように、ラック・ピニオン装置ＲＰの上側案内壁９０Ａが、傾斜面９１の下部にて、変位板部材６２の保持枠６３の上側突出壁６３ｉの傾斜面６３ｈと接触し、左右上側案内ピン６３ｇが、それぞれ、図８及び図９に示すように、左右上側捩りばね６１ｇの各ばね力により保持枠６１の上壁６１ａの左右両側直線状長孔部６１ｅの後端部に押し付けられている。
【００９７】
また、図２２に示すように、ラック・ピニオン装置ＲＰの下側案内壁９０Ｂが、その傾斜面９２の上部にて、保持枠６３の下側突出壁６３ｋの傾斜面６３ｊと接触し、左右下側案内ピン６３ｇが、それぞれ、左右下側捩りばね６１ｇのばね力により保持枠６１の上壁６１ｄの左右両側直線状長孔部６１ｅの後端部に押し付けられている。
【００９８】
以上によれば、変位板部材６２は、図４、図８及び図９に示すように、原位置に保持される。なお、このとき、ピニオン８１は、図１６に示すように、ラック７２の上側歯部７２ｈの上部、及びラック８２の歯部８２ｃの下部にそれぞれ噛合している。
【００９９】
また、ロック機構ＲＰ２は、図１３に示すように、ロックレバー７４にて、係止部材４１ｄの係止部４１ｃに係止して、セキュリティ板Ｓを遊技機本体の枠体Ｈにロックしている。
【０１００】
このような状態においては、セキュリティ板Ｓが、遊技盤Ｐを介し上記遊技機本体を閉じている。このため、セキュリティ板Ｓと上記遊技機本体との間において隙間がわずかでも生じることがない。
【０１０１】
従って、隙間が、前扉Ｄと上記遊技機本体との間に生じていても、上述のようにセキュリティ板Ｓと上記遊技機本体との間には隙間が発生しない。
【０１０２】
このため、不正行為者が、当該パチンコ遊技機に対して不正行為を行うべく、前扉Ｄと上記遊技機本体との間の隙間からピアノ線などを進入させたとしても、遊技盤Ｐの盤面３１はセキュリティ板Ｓにより覆われていることから、ピアノ線などをセキュリティ板Ｓと上記遊技機本体との間から進入させることは困難である。このことは、上述した不正行為を未然に防止し得ることを意味する。
【０１０３】
このような状態において、当該パチンコ遊技機による遊技過程にて、遊技球が、変位板部材６２と遊技盤Ｐの盤面３１との間に挟まれることで、いわゆる球噛みが、遊技盤Ｐの盤面３１と変位板部材６２との間に発生した場合、セキュリティ板Ｓが、上述のごとく、ロック機構ＲＰ２によりロックされた状態で、閉じたままとなっている。従って、前扉Ｄを開いてセキュリティ板Ｓを開こうとしても開くことはできない。
【０１０４】
そこで、例えば、ホールの作業者が、軸状工具Ｔの把持部を把持して、軸部Ｔａを前扉Ｄの工具挿入穴部１８に挿入して、軸部Ｔａを駆動機構部材ＲＰａの前後方向軸７３に連結する。
【０１０５】
そして、軸状工具Ｔを各捩りばね６１ｇの付勢力に抗して図１３に円弧状矢印で示すように時計方向へ回動操作すると、駆動機構部材ＲＰａにおいて、前後方向軸７３が軸状工具Ｔと同一方向へ回動し、ピニオン７１が前後方向軸７３と同一方向へ回動する。
【０１０６】
このようにピニオン７１が回動すると、ラック７２が、下側歯部７２ａのピニオン７１との噛合のもとに、図１４にて示すごとく、上方へ移動する。このとき、上下両側案内ピン７２ｆ、７２ｇが、保持枠６１の両ピン支持板６１ｋ、６１ｕの各長孔部６１ｍ、６１ｖに沿い上方へ移動することで、ラック７２が上方へ移動する。
【０１０７】
また、上述のようにラック７２が上方へ移動すると、ピニオン８１が、図１６にて示すごとく、反時計方向（図示矢印方向）に回動し、ラック８２の上下方向軸８２ｂが、図１７にて示すごとく、歯部８２ｃのピニオン８１との噛合のもとに、このピニオン８１の反時計方向への回動に伴い下方へ移動する。このことは、上側案内部材ＲＰｂが、上側左右方向軸８２ａ及び上側案内壁９０Ａとともに、下方へ移動することを意味する。このとき、両左右上側案内ピン８２ｄ、８２ｅが、保持枠６１の両ピン支持板６１ｏ、６１ｑの各長孔部６１ｐ、６１ｒに沿い下方へ移動することで、ラック８２が下方へ移動する。
【０１０８】
また、上述のようにラック７２が上方へ移動すると、下側案内部材ＲＰｄが、ラック７２と一体となっているため、ラック７２とともに上方へ移動する。このことは、下側案内部材ＲＰｄが、下側左右方向軸７２ｃ及び下側案内壁９０Ｂとともに、上方へ移動することを意味する。
【０１０９】
上述のように、上側案内部材ＲＰｂが下方へ移動するとともに下側案内部材ＲＰｄが上方へ移動すると、上側案内部材ＲＰｂ及び下側案内部材ＲＰｄが互いに近づく方向に移動することとなる。換言すれば、上側案内壁９０Ａが下方へ移動するとともに下側案内壁９０Ｂが上方へ移動すると、上側案内壁９０Ａ及び下側案内壁９０Ｂが互いに近づく方向に移動することとなる。
【０１１０】
これに伴い、上側案内壁９０Ａが、その下方への移動のもとに、傾斜面９１にて、保持枠６３の上壁６３ｃの傾斜面６３ｈに摺接しながら当該傾斜面６３ｈを前方へ押動するとともに、下側案内壁９０Ｂが、その上方への移動のもとに、傾斜面９２にて、保持枠６３の下壁６３ｄの傾斜面６３ｊに摺接しながら当該傾斜面６３ｊを前方へ押動する。
【０１１１】
ここで、上述のように保持枠６３の上壁６３ｃ及び下壁６３ｄがそれぞれ下動及び上動するとき、保持枠６３の左右上側案内ピン６３ｇ及び左右下側案内ピン６３ｇは、それぞれ、左右上側長孔部６１ｅ及び左右下側長孔部６１ｅに沿い、左右上側捩りばね６１ｇ及び左右下側捩りばね６１ｇの各付勢力に抗して各対応の長孔部６１ｅに沿いその後端部から上記各前後方向中間部位に向けて移動する。
【０１１２】
上述のように、保持枠６３は、その上壁６３ｃ及び下壁６３ｄにて上側案内壁９０Ａ及び下側案内壁９０Ｂにより前方へ押動されることで、前方へ案内されて、図２０及び図２３にて示すように、前方へ移動する。このことは、変位板部材６２が、保持枠６１内にて、原位置から前進位置まで変位して、ガラス板６４と遊技盤Ｐの盤面３１との間隔を、遊技球の直径よりも、一様に拡大することを意味する。その結果、遊技球が、その球噛みから容易に解放され得る。
【０１１３】
一方、ロック機構ＲＰ２においては、上記のような軸状工具Ｔの回動操作が行われ、変位板部材６２が前進位置まで変位したとき、図１４に示すように、ロックレバー７４が依然として係止部材４１ｄの係止部４１ｃに係止された状態に維持されている。
【０１１４】
従って、球噛みが解消した状態においては、セキュリティ板Ｓは、閉じたままロック機構ＲＰ２によりロックされている。このとき、セキュリティ板Ｓにおいては、変位板部材６２と遊技盤Ｐの盤面３１との間の間隔が上述のように広くなっても、当該変位板部材６２と保持枠６１との間の関係は、変位板部材６２が原位置にある場合と同様であるので、何ら不正を行う余地は発生しない。
【０１１５】
上述のようにして遊技球の球噛みを解消した後は、工具Ｔを上述とは逆に反時計方向（図１３にて図示矢印とは反対方向）に回動させると、前後方向軸７３が同様に反時計方向に回動し、ピニオン７１が同様に反時計方向に回動する。
【０１１６】
このようにピニオン７１が反時計方向に回動すると、ラック７２が、下側歯部７２ａのピニオン７１との噛合のもとに、下方へ移動する。このとき、上下両側案内ピン７２ｆ、７２ｇが、保持枠６１の両ピン支持板６１ｋ、６１ｕの各長孔部６１ｍ、６１ｖに沿い下方へ移動することで、ラック７２が下方へ移動する。
【０１１７】
また、上述のようにラック７２が下方へ移動すると、ピニオン８１が、上述とは逆に時計方向（図１６にて図示矢印方向とは逆方向）に回動し、ラック８２の上下方向軸８２ｂが、歯部８２ｃのピニオン８１との噛合のもとに、このピニオン８１の時計方向への回動に伴い上方へ移動する。このことは、上側案内部材ＲＰｂが、上側左右方向軸８２ａ及び上側案内壁９０Ａとともに、上方へ移動することを意味する。このとき、両左右上側案内ピン８２ｄ、８２ｅが、保持枠６１の両ピン支持板６１ｏ、６１ｑの各長孔部６１ｐ、６１ｒに沿い上方へ移動することで、ラック８２が上方へ移動する。
【０１１８】
また、上述のようにラック７２が下方へ移動すると、下側案内部材ＲＰｄが、ラック７２と一体となっているため、ラック７２とともに下方へ移動する。このことは、下側案内部材ＲＰｄが、下側左右方向軸７２ｃ及び下側案内壁９０Ｂとともに、下方へ移動することを意味する。
【０１１９】
上述のように、上側案内部材ＲＰｂが上方へ移動するとともに下側案内部材ＲＰｄが下方へ移動すると、上側案内部材ＲＰｂ及び下側案内部材ＲＰｄが互いに離れる方向に移動することとなる。換言すれば、上側案内壁９０Ａが上方へ移動するとともに下側案内壁９０Ｂが下方へ移動すると、上側案内壁９０Ａ及び下側案内壁９０Ｂが互いに離れる方向に移動することとなる。
【０１２０】
これに伴い、上側案内壁９０Ａが、その上方への移動のもとに、傾斜面９１にて、保持枠６３の上壁６３ｃの傾斜面６３ｈに摺接しながら当該傾斜面６３ｈを左右上側捩りばね６１ｇの付勢のもとに後方へ移動させるとともに、下側案内壁９０Ｂが、その下方への移動のもとに、傾斜面９２にて、保持枠６３の下壁６３ｄの傾斜面６３ｊに摺接しながら左右下側捩りばね６１ｇの付勢のもとに当該傾斜面６３ｊを後方へ移動させる。
【０１２１】
ここで、上述のように保持枠６３の上壁６３ｃ及び下壁６３ｄがそれぞれ上動及び下動するとき、保持枠６３の左右上側案内ピン６３ｇ及び左右下側案内ピン６３ｇは、それぞれ、左右上側長孔部６１ｅ及び左右下側長孔部６１ｅに沿い、左右上側捩りばね６１ｇ及び左右下側捩りばね６１ｇの各付勢力を受けて各対応の長孔部６１ｅに沿いその上記前後方向中間部位から各後端部に向けて移動する。
【０１２２】
上述のように、保持枠６３は、その上壁６３ｃ及び下壁６３ｄにて上側案内壁９０Ａの上動及び下側案内壁９０Ｂの下動に伴い後方へ移動することで、後方へ案内されて、後方へ移動する。このことは、変位板部材６２が、保持枠６１内にて、前進位置から原位置まで変位することを意味する。
【０１２３】
しかして、このように変位板部材６２が原位置まで戻ったとき、ロック機構ＲＰ２においては、図１３に示すように、ロックレバー７４が、原位置に戻り、係止部材４１ｄの係止部４１ｃに係止された状態に維持される。従って、そして、軸状工具Ｔの回動操作を終了した後、工具Ｔを前扉Ｄの工具挿入穴部１８から抜き取る。
【０１２４】
また、何らかの理由によりセキュリティ板Ｓを開く必要が発生した場合には、ホールの作業者が、キーＫを用いて前扉Ｄの施錠装置１７を解錠して前扉Ｄを開き、セキュリティ板Ｓを前面に露出させる。その後、軸状工具Ｔの把持部を把持して、軸部Ｔａを前後方向軸７３に連結する。
【０１２５】
そして、工具Ｔを図１４及び図１５にて示すごとくさらに時計方向に回動させると、前後方向軸７３が、同様に時計方向へ回動し、ピニオン７１が同様に時計方向へ回動する。このとき、上下動機構部材ＲＰｂのラック７２はさらに上方へ移動し、上側案内部材ＲＰｃ及び下側案内部材ＲＰｄは、互いにさらに近づく方向に移動する。
【０１２６】
なお、これらの移動は、各案内ピン６３ｇの各対応の長孔部６１ｅの前端部への到達、各案内ピン７２ｆ、７２ｇの各対向の長孔部６１ｍ、６１ｖの各対向端部への到達及び各案内ピン８２ｅ、８２ｄの各対応の長孔部６１ｒ、６１ｐの各下端部への到達でもって停止される。
【０１２７】
これに伴い、ロックレバー７４が、図１５にて示すごとく、係止部材４１ｃとの係止から解離すると、セキュリティ板Ｓが、枠体Ｈに対するロック状態から解除される。これにより、セキュリティ板Ｓは枠体Ｈから開放可能になる。
【０１２８】
このような状態において、作業者がセキュリティ板Ｓを開け、必要な処理を終了した後は、作業者は、セキュリティ板Ｓを閉じ、工具Ｔの把持部を把持して、軸部Ｔａを前後方向軸７３に連結する。そして、軸状工具Ｔを回動操作することにより、ロックレバー７４が係止部材４１ｄの係止部４１ｃに係止すれば、セキュリティ板Ｓは枠体Ｈにロックされる。その後、作業者は前扉Ｄを閉じ、キーＫを用いて施錠装置１７を施錠する。
【０１２９】
以上説明したように、本第１実施形態においては、セキュリティ板Ｓが遊技盤Ｐを有する遊技機本体と前扉Ｄとの間に開閉可能に支持されている。
【０１３０】
これによれば、セキュリティ板Ｓを閉じたときには、当該セキュリティ板Ｓと遊技機本体との間には隙間が形成されない。従って、前扉Ｄと遊技機本体との間の隙間からピアノ線などを挿入させ得たとしても、当該ピアノ線などを、セキュリティ板Ｓと遊技機本体との間にまで挿入することは困難である。
【０１３１】
このため、上記ピアノ線などは、遊技盤Ｐの盤面３１に到達し得ず、その結果、上述のような不正行為を未然に防止することができる。
【０１３２】
また、セキュリティ板Ｓは、上述のごとく、ロック機構ＲＰ２により枠体Ｈにロックされるので、セキュリティ板Ｓを自由に開けることができない。このため、当該パチンコ遊技機におけるセキュリティが向上する。
【０１３３】
また、球噛みが発生した場合には、上述のごとく、前扉Ｄを閉じた状態でセキュリティ板Ｓをロックしたままにて、軸状工具Ｔを用いて変位板部材６２を前方へ変位させることで、当該変位板部材６２と遊技盤Ｐとの間隔を拡大させるようにしたため、前扉Ｄを開けることなく上記球噛みを解消することが可能になり、便利である。このとき、セキュリティ板Ｓは、上述のごとくロックしたままであるので、当該パチンコ遊技機のセキュリティは、球噛みの解消前と同様に向上する。
【０１３４】
また、遊技盤Ｐは、その盤面３１に突設された装飾部品３５を備えると共に、セキュリティ板Ｓは各空所Ｇを備えている。このため、セキュリティ板Ｓを閉じたとき、各装飾部品３５は各対応の空所Ｇを貫通してセキュリティ板Ｓの前方へ突出する。このことは、セキュリティ板Ｓを装飾部品３５により邪魔されることなく枠体Ｈに対し閉じることができることを意味する。
【０１３５】
また、パチンコ遊技機では、一般的に、前扉Ｄに電飾部品等の装飾部品を設けることで、演出効果を高めることが行われている。ここで、パチンコ遊技機において、遊技盤Ｐは定期的に交換されるものの、前扉Ｄは交換されることなくそのまま維持されることが通常である。これでは、パチンコ遊技機としての装飾部品による演出効果を遊技盤の交換にあわせてさらに高めることはできない。
【０１３６】
このため、本第１実施形態では、装飾部品３５が、前扉Ｄではなく、遊技盤Ｐの盤面に突設されているので、パチンコ遊技機としての装飾部品による演出効果を遊技盤の交換毎に新たに高めることができる。
【０１３７】
なお、セキュリティ板Ｓの形状は、上述した実施形態では四角形状としたが、遊技盤Ｐの盤面３１における遊技領域３２の形状に対応する形状（略円形形状）で構成してもよく、装飾部品３５がこのセキュリティ板の外側に配置されるようにしてもよい。また、上述した実施形態では、セキュリティ板Ｓの変位板部材６２を前後方向へ移動可能に構成したが、セキュリティ板Ｓ全体を前後方向へ移動可能に構成してもよい。
【０１３８】
（第２実施形態）
図２５及び図２６は、本発明に係るパチンコ遊技機の第２実施形態の要部を示している。この第２実施形態では、上記第１実施形態にて述べたパチンコ遊技機の遊技盤Ｐにおいて、球落下防止装置ＢＣが、付加的に採用されており、この球落下防止装置ＢＣは、図２５に示すごとく、遊技盤Ｐのうち内レール３４の下端部近傍部位（符号３６にて示すアウト口の近傍部位）に組み付けられている。
【０１３９】
当該球落下防止装置ＢＣは、図２６にて示すごとく、球受けレール１００ａと、駆動機構１００ｂとにより構成されている。球受けレール１００ａは、上記第１実施形態にて述べた内レール３４の下面に沿い、後述のごとく前後方向に変位可能に駆動機構１００ｂにより支持されている。
【０１４０】
ここで、内レール３４の下側レール部３４ａは、内レール３４の全長の半分程度の長さを有する。従って、球受けレール１００ａの全長も、内レール３４の全長の半分程度の長さに相当する。また、球受けレール１００ａの幅は、セキュリティ板Ｓにおいて前進位置にあるガラス板６４と内レール３４の下側レール部３４ａとの間隙を塞ぐ程度（例えば、遊技球の外径よりも狭くする程度）の幅を有する。
【０１４１】
駆動機構１００ｂは、ケーシング１００ｃを有しており、このケーシング１００ｃは、下側レール部３４ａの下端部の下側にて遊技盤Ｐに形成した開口部Ｐ１（図２６参照）に嵌装されている。ここで、ケーシング１００ｃは、底壁１０１と、この底壁１０１の左右両端部から上方へ延出する左右側壁（図示しない）と、この左右側壁の各後端部に沿い底壁１０１の後端部から上方へ延出する後壁１０２とにより構成されて、凹所１０３を形成する。
【０１４２】
ここで、当該凹所１０３は、左右方向には断面コ字状となり、かつ前後方向にはＬ字状となって、上方及び前方に向けて開口する。このことは、球受けレール１００ａの後方への変位状態及びセキュリティ板Ｓの閉状態にあっては、ケーシング１００ｃは、凹所１０３にて、球受けレール１００ａの下面及びセキュリティ板Ｓのガラス板６４の後面に向けて開口することを意味する。
【０１４３】
また、駆動機構１００ｂは、図２６にて示すごとく、上下両側摺動体１１０、１２０及び両コイルスプリング１３０、１４０を有しており、上下両側摺動体１１０、１２０は、それぞれ、ケーシング１００ｃの凹所１０３内にその前後方向に向けて相対摺動可能に嵌装されている。
【０１４４】
上側摺動体１１０は、図２６にて示すごとく、摺動体本体１１１と、この摺動体本体１１１の後端部から後方へ延出するロッド１１２とにより構成されている。摺動体本体１１１は、平板状のもので、この摺動体本体１１１は、厚肉部１１１ａと、薄肉部１１１ｂとを備えている。
【０１４５】
厚肉部１１１ａは、摺動体本体１１１の後側半分部位からなるもので、この厚肉部１１１ａは、その下側前端隅角部にて、図２６にて示すごとく、縦断面傾斜状に切り欠かれている。これにより、厚肉部１１１ａの下側前端隅角部には、図２６にて示すごとく、左上側から右下方側に向けて、傾斜面１１１ｃが形成されている。
【０１４６】
薄肉部１１１ｂは、摺動体本体１１１の前側半分部位からなるもので、この薄肉部１１１ｂは、厚肉部１１１ａの前端部から前方へ延出するように当該厚肉部１１１ａと一体的に形成されている。この薄肉部１１１ｂの延出端部には、球受けレール１００ａが、その後縁部の左右方向中央部にて、連結されて、前方へ延出している。これにより、上側摺動体１１０は、球受けレール１００ａを、その上面にて、内レール３４の下側レール部３４ａの下面に沿うように支持する。
【０１４７】
ロッド１１２は、摺動体本体１１１の厚肉部１１１ａの中央後端部から後方に延出してなるもので、このロッド１１２は、ケーシング１００ｃの後壁１０２（凹所１０３の後壁）の凹部１０２ａ（後述する）及び後方突出壁１０４（後述する）の上側貫通穴部１０４ａに軸方向に摺動可能に挿通されている。
【０１４８】
ここで、ケーシング１００ｃは、後方突出壁１０４を有しており、この後方突出壁１０４は、後壁１０２の左右方向中央部位から後方へ一体的に突出されている。当該後方突出壁１０４は、上下両側挿通穴部１０４ａ、１０４ｂを有しており、これら上下両側挿通穴部１０４ａ、１０４ｂは、後方突出壁１０４及び後方突出壁１０４の双方に亘り形成された上下両側凹部１０２ａ、１０２ｂと同軸的に位置するように、後方突出壁１０４に上下に間隔をおいて形成されている。
【０１４９】
また、上側貫通穴部１０４ａは、後述のようにロッド１１２の上下方向への変位を許容するように、ロッド１１２の上下方向幅よりも、所定値だけ大きく形成されている。なお、上下両側凹部１０２ａ、１０２ｂは、詳細には、上側摺動体１１０のロッド１１２及び下側摺動体１２０のロッド１２２（後述する）と前後方向において同軸的に位置するように、後壁１０２及び後方突出壁１０４の前側部位に亘り、上下に間隔をおいて形成されている。
【０１５０】
下側摺動体１２０は、図２６にて示すごとく、摺動体本体１２１と、この摺動体本体１２１の後端部から後方へ延出するロッド１２２とにより構成されている。摺動体本体１２１は、平板状のもので、当該摺動体本体１２１は、ケーシング１００ｃの底壁１０１（凹所１０３の底壁）と上側摺動体１１０との間にて前後方向に摺動可能に凹所１０３内に収容されて、上記第１実施形態にて述べたセキュリティ板Ｓの外側保持枠６１に設けた立ち上がり壁部６１ｉに向けて延出している。なお、立ち上がり壁部６１ｉは、外側保持枠６１の下壁６１ｄの後端部から上方へ突出するように形成されている。
【０１５１】
また、当該摺動体本体１２１は、その上側後端隅角部にて、図２６にて示すごとく、縦断面傾斜状に切り欠かれている。これにより、摺動体本体１２１の上側後端隅角部には、図２６にて示すごとく、上側摺動体１１０の傾斜面１１１ｃに平行となるように傾斜面１２１ａが形成されている。
【０１５２】
本第２実施形態では、球受けレール１００ａが、その前端部にて、内レール３４の下側レール部３４ａの前端部に下方から重なるように位置するとき、上側摺動体１１０のロッド１１２は、その下端面にて、ケーシング１００の後方突出壁１０４の上側貫通穴部１０４ａの下側内面上に位置するととともに、上側摺動体１１０の傾斜面１１１ｃは、下側摺動体１２０の傾斜面１２１ａに係合する（図２８参照）。このような状態で下側摺動体１２０が後方へ押動されると、上側摺動体１１０は、その傾斜面１１１ｃにて、下側摺動体１２０の傾斜面１２１ａに沿い上方へ押動されて当該傾斜面１２１ａから解離するとともに、ロッド１１２は、その上端面にて、ケーシング１００の後方突出壁１０４の上側貫通穴部１０４ａの上側内面に沿い位置する（図２６参照）。
【０１５３】
ロッド１２２は、ロッド部１２２ａと、鍔部１２２ｂとにより構成されており、ロッド部１２２ａは、摺動体本体１２１の中央後端部から後方に延出されてケーシング１００の後壁１０２の下側凹部１０２ｂ及び後方突出壁１０４の下側貫通穴部１０４ｂに同軸的に前後方向に摺動可能に挿通されている。鍔部１２２ｂは、ロッド部１２２ａの延出端部に同軸的に固着されて、下側摺動体１２０の前方への抜け止め部としての役割を果たす。
【０１５４】
コイルスプリング１３０は、上側摺動体１１０のロッド１１２に嵌装されており、当該コイルスプリング１３０は、その前端部にて、上側摺動体１１０の厚肉部１１１ａの後端部に係止するとともに、その後端部にて、ケーシング１００の後壁１０２の上側凹部１０２ａ内に挿入されて後方突出壁１０４にその前側から係止している。これにより、当該コイルスプリング１３０は、上側摺動体１１０の摺動体本体１１１を前方に向けて付勢する。
【０１５５】
また、コイルスプリング１４０は、下側摺動体１２０のロッド１２２に嵌装されており、当該コイルスプリング１４０は、その前端部にて、下側摺動体１２０の摺動体本体１２１の後端部に係止するとともに、その後端部にて、ケーシング１００の後壁１０２の下側凹部１０２ｂ内に挿入されて後方突出壁１０４にその前側から係止している。これにより、当該コイルスプリング１４０は、下側摺動体１２０の摺動体本体１２１を前方に向けて付勢する。その他の構成は、上記第１実施形態と同様である。
【０１５６】
このように構成した本第２実施形態において、上記第１実施形態と同様に、セキュリティＳの変位板６３のガラス板６４が、セセキュリティ板Ｓの閉状態において、原位置にあるとき、球落下防止装置ＢＣの球受けレール１００ａは、図２６にて示すごとく、コイルスプリング１３０により上側摺動体１１０の摺動体本体１１１を介し前方へ付勢されて、原位置にあるガラス板６４に当接している。
【０１５７】
このとき、上側摺動体１１０は、厚肉部１１１ａの下面にて、下側摺動体１２０の摺動体本体１２１の上面後部上に位置するとともに、下側摺動体１２０は、摺動体本体１２１にて、セキュリティ板Ｓの外枠６１の立ち上がり壁部６１ｉにその後方から当接するとともに、鍔部１２２ｂにて、ケーシング１００の後方突出壁１０４から後方に離れて位置している（図２６参照）。
【０１５８】
このような状態において、上記第１実施形態と同様に球噛みの発生に伴う変位板６３のガラス板６４の前進位置への変位に応じて、上側摺動体１１０は、摺動体本体１１１にて、コイルスプリング１３０による付勢のもと、前方へ摺動するととともに、球受けレール１００ａが、上側摺動体１１０により押し出されて前方へ変位する（図２７参照）。
【０１５９】
このことは、球受けレール１００ａが、ガラス板６４の前進に追随しながら前方へ変位することを意味する（図３０参照）。なお、このとき、下側摺動体１２０は、鍔部１２２ｂにて、ケーシング１００の後方突壁１０４の下側貫通穴部１０４ｂの後端開口外周部に、コイルスプリング１４０の付勢力に抗して、係止する。
【０１６０】
従って、上述のようなガラス板６４の前進により当該ガラス板６４と遊技盤Ｐの盤面１１との間隔が遊技球の外径よりも大きくなって、遊技球が内レール３４の前端部とガラス板６４との間から落下し易い状態になっても、球受けレール１００ａが、ガラス板６４と内レール３４との間隙を塞ぎながら前方へ変位するので、球噛みの解消により落下する遊技球は、球受けレール１００ａにより下方から確実に受け止められて、セキュリティ板Ｓと遊技盤Ｐとの間から落下することなく、アウト口３６内に排出されていく。
【０１６１】
然る後、上述のように球噛みを解消した後、上記第１実施形態と同様にセキュリティ板Ｓの変位板６３のガラス板６４を原位置に戻した後、セキュリティ板Ｓを上記第１実施形態にて述べたと同様にして開く。
【０１６２】
ついで、球受けレール１００ａを、図２７にて図示矢印にて示す方向に押し込むと、当該球受けレール１００ａが、その前端部にて、図３１にて示すごとく、内レール３４の前端部に重なる位置に変位したとき、上側摺動体１１０が、図２８にて示すごとく、傾斜面１１１ｃにて、下側摺動体１２０の傾斜面１２１ａに沿い下方へ変位しながらこの傾斜面１２１ａに係合する。
【０１６３】
これに伴い、下側摺動体１２０が前方へ押し出されるが、鍔部１２２ａがケーシング１００の後方突出壁１０４にその後方から係合するため、下側摺動体１２０は、図２９にて示すごとく、傾斜面１２１ａと傾斜面１１１ｃとの係合を維持する。
【０１６４】
然る後、上記第１実施形態にて述べたと同様にセキュリティ板Ｓを閉じると、外枠６１が、立ち上がり壁６１ｇにて、下側摺動体１２０にその前側から当接することで、上述した両傾斜面１１１ｃ、１２１ａ間の係合を良好に維持する。
【０１６５】
以上のように、本第２実施形態においては、球噛みの解消が上述のようになされたとき、落下する遊技球が球落下防止装置ＢＣによりその球受けレール１００ａにより確実に受け止められてアウト口３６内に排出されていくので、球噛み解消の際の遊技球がセキュリティ板Ｓと遊技盤Ｐとの間から落下する事態を未然に防止することができる。その他の作用効果は上記第１実施形態と同様である。
【０１６６】
また、本第２実施形態では、セキュリティ板Ｓを閉じた状態で球噛みを解消したときに遊技球がセキュリティ板Ｓと遊技盤Ｐとの間から落下することを球落下防止装置ＢＣにより未然に防止する例について説明したが、これに代えて、セキュリティ板Ｓ自体を、球噛みを解消する程度に開くことで当該球噛みを解消したときに、遊技球がセキュリティ板Ｓと遊技盤Ｐとの間から落下することを球落下防止装置ＢＣにより未然に防止するようにしてもよい。なお、この場合、球落下防止装置ＢＣの球受けレール１００ａの幅は、球噛みを解消する程度に開いたセキュリティ板Ｓのガラス板６４と内レール３４との間の間隙に相当するように設定する。
【０１６７】
なお、駆動機構１００ｂは、電磁ソレノイドなど電気的アクチュエータで構成し、セキュリティ板Ｓの前進時に球受けレール１００ａを前進させ、セキュリティ板Ｓの後退時に球受けレール１００ｂを後退させるよう構成してもよい。
【符号の説明】
【０１６８】
ＢＣ…落下球受け装置、Ｐ…遊技盤、Ｈ…枠体、Ｄ…前扉、Ｓ…セキュリティ板、
Ｇ…空所、ＲＰａ…駆動機構部材、ＲＰｂ…上下動機構部材、ＲＰｃ…上側案内部材、
ＲＰ１…変位機構、ＲＰ２…ロック機構、３１…盤面、３４…内レール、３５…装飾部品、
４１ｃ…係止部材、６１…保持枠、６１ａ、６３ｃ…上壁、６１ｂ…右壁、６１ｃ…左壁、
６１ｄ、６３ｄ…下壁、６１ｇ…捩りばね、６２…変位板部材、
６３ｈ、６３ｊ、９１、９２…傾斜面、６３ｉ…上側突出壁、６３ｋ…下側突出壁、
７１、８１…ピニオン、７２、８２…ラック、７２ａ、７２ｈ、８２ｃ…歯部、
７２ｃ…下側左右方向軸、７４…ロックレバー、９０Ａ、９０Ｂ…案内壁、
１００ａ…球受けレール、１００ｂ…駆動機構。
【図１】
0005460491.tif 000002
【図２】
0005460491.tif 000003
【図３】
0005460491.tif 000004
【図４】
0005460491.tif 000005
【図５】
0005460491.tif 000006
【図６】
0005460491.tif 000007
【図７】
0005460491.tif 000008
【図８】
0005460491.tif 000009
【図９】
0005460491.tif 000010
【図１０】
0005460491.tif 000011
【図１１】
0005460491.tif 000012
【図１２】
0005460491.tif 000013
【図１３】
0005460491.tif 000014
【図１４】
0005460491.tif 000015
【図１５】
0005460491.tif 000016
【図１６】
0005460491.tif 000017
【図１７】
0005460491.tif 000018
【図１８】
0005460491.tif 000019
【図１９】
0005460491.tif 000020
【図２０】
0005460491.tif 000021
【図２１】
0005460491.tif 000022
【図２２】
0005460491.tif 000023
【図２３】
0005460491.tif 000024
【図２４】
0005460491.tif 000025
【図２５】
0005460491.tif 000026
【図２６】
0005460491.tif 000027
【図２７】
0005460491.tif 000028
【図２８】
0005460491.tif 000029
【図２９】
0005460491.tif 000030
【図３０】
0005460491.tif 000031
【図３１】
0005460491.tif 000032